(57)【要約】【課題】  本発明は喫煙客は隣接して遊技するお客に気兼ねすることなく喫煙でき、非喫煙客は副煙流による害、目が痛くなるといった不快な思いをすることなく、遊技することができる遊技設備を提供する。【解決手段】  横方向に併設された複数個の遊技機１の上部に取り付けられ、遊技客の存在を認識する赤外線センサ２０と、隣り合って遊技するそれぞれの遊技客の間に向けてエアを吹き付ける送風機３と、マイナスイオンを供給するマイナスイオン供給機１０とを具備し、赤外線センサ２０が遊技客の存在を認識したという信号を受け取った制御装置により、送風機３及びマイナスイオン供給機１０が作動されることを特徴とするものである。【選択図】  図１
2005080965.tif 000002
【特許請求の範囲】
【請求項１】
横方向に併設された複数個の遊技機の上部に取り付けられ、隣り合って遊技するそれぞれの遊技客の間に向けてエアを吹き付ける送風機及び、この送風機から送られるエアと共にマイナスイオンを供給するマイナスイオン供給機とを具備していることを特徴とする遊技設備。
【請求項２】
手動スイッチで、前記送風機及びマイナスイオン供給機を作動させることを特徴とする請求項１に記載の遊技設備。
【請求項３】
横方向に併設された複数個の遊技機の上部に取り付けられ、遊技客の存在を認識する感知器と、隣り合って遊技するそれぞれの遊技客の間に向けてエアを吹き付ける送風機と、マイナスイオンを供給するマイナスイオン供給機とを具備し、前記感知器が遊技客の存在を認識したという信号を受け取った制御装置により前記送風機及びマイナスイオン供給機が作動されることを特徴とする遊技設備。
【請求項４】
前記送風機には消臭剤、芳香剤が内蔵されていることを特徴とする請求項１または請求項３に記載の遊技設備。
【発明の詳細な説明】
【技術分野】
【０００１】
本発明は、遊技設備に関し、特にパチンコ機やスロットマシン等が併設された遊技室内において、隣り合って遊技する非喫煙客と喫煙客との間をエアカーテンで仕切る技術の改良に関するものである。
【背景技術】
【０００２】
パチンコ機やスロットマシン等が併設された遊技室内において、隣り合って遊技する非喫煙客と喫煙客との間を送風機から吹き出されるエアによって仕切ることで、誰もが遊技を楽しめるようにした技術がある。
【０００３】
このような技術は、以下の文献に記載されている。
【特許文献１】特開平８−２４７５２０号公報
【発明の開示】
【発明が解決しようとする課題】
【０００４】
ここで、上記従来技術では、単に隣り合った席で遊技する客同士の間をエアカーテンで仕切るだけであり、遊技室内の喫煙から出る副煙流が部屋内に充満することになり、間接的に喫煙してしまうことになる受動喫煙による害、目が痛いといった症状を訴えるお客がいるといった問題は解消されていなかった。
【０００５】
そこで、本発明は、喫煙客は隣接して遊技するお客に気兼ねすることなく喫煙でき、非喫煙客は上記副煙流による害、目が痛くなるといった不快な思いをすることなく、遊技することができる遊技機を提供するものである。
【課題を解決するための手段】
【０００６】
本発明の遊技設備は、横方向に併設された複数個の遊技機の上部に取り付けられ、隣り合って遊技するそれぞれの遊技客の間に向けてエアを吹き付ける送風機及びマイナスイオンを供給するマイナスイオン供給機とを具備していることを特徴とするものである。
【０００７】
また、手動スイッチで、前記送風機及びマイナスイオン供給機を作動させることを特徴とするものである。
【０００８】
本発明の遊技設備は、横方向に併設された複数個の遊技機の上部に取り付けられ、遊技客の存在を認識する感知器と、隣り合って遊技するそれぞれの遊技客の間に向けてエアを吹き付ける送風機と、マイナスイオンを供給するマイナスイオン供給機とを具備し、前記感知器が遊技客の存在を認識したという信号を受け取った制御装置により前記送風機及びマイナスイオン供給機が作動されることを特徴とするものである。
【０００９】
また、前記送風機には消臭剤、芳香剤が内蔵されていることを特徴とするものである。
【発明の効果】
【００１０】
本発明によれば、喫煙客は隣接して遊技するお客に気兼ねすることなく喫煙でき、非喫煙客は副煙流による害、目が痛くなるといった不快な思いをすることなく、遊技することができる。
【発明を実施するための最良の形態】
【００１１】
次に、本発明の実施形態について図面を参照しながら説明する。
【００１２】
先ず、本発明が適用される遊技設備の構造について図１乃至図４を参照して説明する。図１、図２及び図３は、複数個の遊技機が横方向に併設された遊技台を示す斜視図、正面図及び側面図、図４は遊技機に取り付けられる送風機の斜視図である。
【００１３】
図１では、６個の遊技機１が横方向に併設された遊技台２を示している。尚、遊技機１としてはパチンコ機やスロットマシン等があるが、本実施形態ではパチンコ機を用いて本発明を説明する。
【００１４】
３は遊技台２を構成する隣り合う各遊技機１の上部に取り付けられた送風機で、当該送風機３内に内蔵されたモータの作動によりファンを回転させてエアを作り出し、図２及び図３に示すように当該送風機３から吹き付けるエアにより、隣り合った席４に腰掛けた遊技客同士を仕切るものである。
【００１５】
ここで、図中の下向きの矢印は、エアの流れを示しており、前記吹き出し口５から吹き出されたエアは、遊技機１の正面位置から席４に腰掛けた遊技客方向に向かってカーテンの裾を広げるような形で吹き出される。そのため、隣り合う席に腰掛けた遊技客同士はエアカーテンによって分断されるため、喫煙客は隣接して遊技するお客に気兼ねすることなく喫煙でき、非喫煙客は副煙流による害、目が痛くなるといった不快な思いをすることなく、遊技を楽しむことができる。
【００１６】
前記送風機３は、図４に示すようにその下面にエアを吹き出すエア吹き出し口５が用意され、その前面には当該送風機３を作動させるための手動スイッチ６がある。尚、前記送風機３には、消臭剤、あるいは芳香剤等が内蔵されており、前記送風機３が作動されることで、エアと共に前記吹き出し口５から供給される。
【００１７】
図３において、１０はマイナスイオン供給機で、前記送風機３と連動して、エアと共に癒し効果や消臭効果があると言われているマイナスイオンを供給するものである。尚、マイナスイオン供給機１０は前記送風機３と別にスイッチを持ち、別動作させるものであっても構わない。
【００１８】
１１は遊技室の天井に設置された排気口で、図示しない換気扇の作動により遊技室内の副煙流等が、図３に上向きの矢印で示すようなエアの流れで排気される。このため、遊技室は、常にクリーンな状態に維持される。
【００１９】
１２はＡＣ電源に接続されるコンセントを有したＡＣ配線で、当該ＡＣ配線１２がＤＣコンバータ１３に接続され、当該ＤＣコンバータ１３を介してＡＣからＤＣ変換された電位がＤＣ配線１４、そして当該ＤＣ配線１４が分岐されて供給されるコネクタ１５を通って各遊技機１に供給される。
【００２０】
尚、本実施形態では、図４に示すように手動スイッチ６を用いて前記送風機３及びマイナスイオン供給機１０を作動させているが、実際に遊技客の存在を認識することで前記送風機３及びマイナスイオン供給機１０を自動的に作動させるような制御方式を採用するものであっても良い。
【００２１】
即ち、図３に示すように遊技客が席４に腰掛けた状態で遊技客の存在を認識できるように遊技台２の所望位置に赤外線センサ２０等の感知器を設置しておき、当該赤外線センサ２０が遊技客の存在を認識したという信号を遊技台本体側の不図示の制御装置（ＣＰＵ）に送り、その信号を受け取ったＣＰＵからの指令により、前記送風機３及びマイナスイオン供給機１０を作動させるようにする。
【００２２】
このような構成を採用することで、赤外線センサ２０により遊技客の存在を実際に認識した状態で、前記送風機３及びマイナスイオン供給機１０を作動させているため、前述したような手動スイッチ６を用いた方式の場合では、遊技客のいない席に対し送風機３及びマイナスイオン供給機１０が作動している場合には、従業員がスイッチを消したりする場合もあり煩わしかったが、そのような問題が無くなる。また、本実施形態ではスイッチの消し忘れ等により無駄な電力を消費するという心配もなくなり、非常に経済的である。
【００２３】
尚、赤外線センサ２０の設置場所としては、前記送風機３の前面に取付けて、遊技客の右斜め上方から遊技客に赤外線を照射するようにして、遊技客の存在を認識させれば良い。
【図面の簡単な説明】
【００２４】
【図１】本発明の一実施形態に係わる複数個の遊技機が横方向に併設された遊技台を示す斜視図である。
【図２】本発明の一実施形態に係わる複数個の遊技機が横方向に併設された遊技台を示す正面図である。
【図３】本発明の一実施形態に係わる複数個の遊技機が横方向に併設された遊技台を示す側面図である。
【図４】本発明の一実施形態に係わる遊技設備に取り付けられる送風機の斜視図である。
【符号の説明】
【００２５】
１  遊技機      ２  遊技台      ３  送風機      ４  席      ５  エア吹き出し口  ６  手動スイッチ      １０  マイナスイオン供給機      １１  排気口
１２  ＡＣ配線        １３  ＤＣコンバータ            １４  ＤＣ配線      
１５  コネクタ        ２０  赤外線センサ
【図１】
2005080965.tif 000003
【図２】
2005080965.tif 000004
【図３】
2005080965.tif 000005
【図４】
2005080965.tif 000006